【事件の表示】
　特願２０１２−２７８４３９「映像処理装置、アップグレード装置、これを含むディスプレイシステム及びその制御方法」拒絶査定不服審判事件〔平成２５年　７月１８日出願公開、特開２０１３−１４１２２１〕について、次のとおり審決する。
【結　論】
　本件審判の請求は、成り立たない。
【理　由】
第１　手続の経緯
　本願は，平成２４年１２月２０日（パリ条約による優先権主張，２０１１年１２月２８日　韓国，２０１１年１２月３０日　韓国，２０１２年１月２７日　韓国，２０１２年１月３１日　韓国，２０１２年１月３１日　韓国，２０１２年７月３日　韓国）の出願であって，その手続の経緯は以下のとおりである。
　平成２６年　２月２４日付け：拒絶理由の通知
　平成２６年　６月　３日　　：手続補正
　平成２６年１０月３０日付け：拒絶査定
　平成２６年１１月　４日　　：拒絶査定の謄本の送達
　平成２７年　３月　３日　　：拒絶査定不服審判の請求
　平成２７年　３月　３日　　：手続補正
第２　補正却下の決定
［補正却下の決定の結論］
　平成２７年３月３日付けの手続補正を却下する。
［理由］
１　本願発明と補正後の発明
　上記手続補正（以下「本件補正」という。）は，本件補正前の平成２６年６月３日付けの手続補正書の特許請求の範囲の請求項１に記載された，
「【請求項１】
　ＴＶにおいて，
　信号入力部と；
　前記信号入力部によって入力される入力信号を処理して第１出力信号を出力する映像処理部と；
　信号処理を行うアップグレード装置が接続可能で，前記アップグレード装置の接続時に前記入力信号及び前記第１出力信号の中で少なくとも一つが前記ＴＶから前記アップグレード装置に送信され，前記アップグレード装置から出力される第２出力信号が前記ＴＶに受信されるようにするアップグレード装置接続部と；
　前記アップグレード装置が前記アップグレード装置接続部に接続されない場合，前記第１出力信号に基づいた映像を表示し，前記アップグレード装置が前記アップグレード装置接続部に接続された場合，前記第２出力信号に基づいた映像を表示するディスプレイ部と；
　前記第１出力信号又は前記第２出力信号に基づいた映像の表示を制御する制御部と；
　を含み，
　前記制御部は，前記アップグレード装置が前記アップグレード装置接続部に接続された場合，前記アップグレード装置から受信される情報に基づいて前記ＴＶのファームウェアがアップグレードされるように制御を行う，
　ことを特徴とするＴＶ。」
という発明（以下「本願発明」という。）を，平成２７年３月３日付け手続補正書の特許請求の範囲の請求項１に記載された，
「【請求項１】
　ＴＶにおいて，
　信号入力部と；
　前記信号入力部によって入力される入力信号を処理して第１出力信号を出力する映像処理部と；
　信号処理を行うアップグレード装置が接続可能で，前記アップグレード装置の接続時に前記入力信号及び前記第１出力信号の中で少なくとも一つが前記ＴＶから前記アップグレード装置に送信され，前記アップグレード装置から出力される第２出力信号が前記ＴＶに受信されるようにするアップグレード装置接続部と；
　前記アップグレード装置が前記アップグレード装置接続部に接続されない場合，前記第１出力信号に基づいた映像を表示し，前記アップグレード装置が前記アップグレード装置接続部に接続された場合，前記第２出力信号に基づいた映像を表示するディスプレイ部と；
　前記第１出力信号又は前記第２出力信号に基づいた映像の表示を制御する制御部と；
　を含み，
　前記制御部は，前記アップグレード装置が前記アップグレード装置接続部に接続された場合，前記アップグレード装置から受信される情報に基づいて前記ＴＶのファームウェアがアップグレードされるように制御を行
い，
　前記制御部は，さらに，前記アップグレード装置の前記接続の有無に応じて，映像信号スイッチをオン・オフして前記映像の表示を切り替える，
　ことを特徴とするＴＶ。」
という発明（以下「補正後の発明」という。）に補正することを含むものである（下線は，審判請求人が示した補正箇所である。）。
２　新規事項の有無，補正の目的要件について
　本件補正は，願書に最初に添付した明細書，特許請求の範囲又は図面に記載した事項の範囲内において，「制御部」が「前記アップグレード装置が前記アップグレード装置接続部に接続されない場合，前記第１出力信号に基づいた映像を表示し，前記アップグレード装置が前記アップグレード装置接続部に接続された場合，前記第２出力信号に基づいた映像を表示する」ことに加え，「さらに，前記アップグレード装置の前記接続の有無に応じて，映像信号スイッチをオン・オフして前記映像の表示を切り替える」ことを限定することにより，特許請求の範囲を減縮するものであり，かつ，本願発明と補正後の発明とは，産業の利用分野及び解決しようとする課題が同一である。
　したがって，本件補正は，特許法第１７条の２第３項（新規事項）及び第１７条の２第５項第２号（補正の目的）の規定に適合している。
３　独立特許要件について
　本件補正は，特許請求の範囲の限定的減縮を目的とするものであるから，補正後の発明が特許出願の際独立して特許を受けることができるものであるか否か（特許法第１７条の２第６項において準用する同法第１２６条第７項の規定に適合するか否か）について，以下に検討する。
（１）補正後の発明
　上記「１　本願発明と補正後の発明」において「補正後の発明」として認定したとおりである。
　なお，下記のとおり，当審において，（Ａ）から（Ｉ）までの記号を説明のために付与した。以下，構成要件Ａ，構成要件Ｂなどと称することとする。
（Ａ）　ＴＶにおいて，
（Ｂ）　信号入力部と；
（Ｃ）　前記信号入力部によって入力される入力信号を処理して第１出力信号を出力する映像処理部と；
（Ｄ）　信号処理を行うアップグレード装置が接続可能で，前記アップグレード装置の接続時に前記入力信号及び前記第１出力信号の中で少なくとも一つが前記ＴＶから前記アップグレード装置に送信され，前記アップグレード装置から出力される第２出力信号が前記ＴＶに受信されるようにするアップグレード装置接続部と；
（Ｅ）　前記アップグレード装置が前記アップグレード装置接続部に接続されない場合，前記第１出力信号に基づいた映像を表示し，前記アップグレード装置が前記アップグレード装置接続部に接続された場合，前記第２出力信号に基づいた映像を表示するディスプレイ部と；
（Ｆ）　前記第１出力信号又は前記第２出力信号に基づいた映像の表示を制御する制御部と；
　を含み，
（Ｇ）　前記制御部は，前記アップグレード装置が前記アップグレード装置接続部に接続された場合，前記アップグレード装置から受信される情報に基づいて前記ＴＶのファームウェアがアップグレードされるように制御を行い，
（Ｈ）　前記制御部は，さらに，前記アップグレード装置の前記接続の有無に応じて，映像信号スイッチをオン・オフして前記映像の表示を切り替える，
　ことを特徴とする
（Ｉ）ＴＶ。
（２）引用発明及び周知技術
（２−１）引用例の記載及び引用発明
（２−１−１）引用例の記載
　原審の平成２６年２月２４日付けの拒絶理由に引用された，特開２００３−１９８９６７号公報（以下「引用例」という。）には，「記憶装置，データ処理装置およびデータ処理方法，プログラムおよび記録媒体，並びにデータ処理システム」として，図面とともに以下の事項が記載されている。
ア　「【０００１】
【発明の属する技術分野】本発明は，記憶装置，データ処理装置およびデータ処理方法，プログラムおよび記録媒体，並びにデータ処理システムに関し，特に，例えば，テレビジョン受像機を，追加的に高機能化することができるようにする記憶装置，データ処理装置およびデータ処理方法，プログラムおよび記録媒体，並びにデータ処理システムに関する。
【０００２】
【従来の技術】例えば，テレビジョン受像機においては，テレビジョン放送信号が受信され，テレビジョン放送番組としての画像が表示されるとともに，その画像に付随する音声が出力される。
【０００３】
【発明が解決しようとする課題】ところで，近年においては，テレビジョン受像機におけるＹ／Ｃ分離処理その他の各種の信号処理は，急速に高機能化しており，より高機能の信号処理を行うテレビジョン受像機が，次々に開発，販売されている。
【０００４】しかしながら，従来においては，ユーザが所有しているテレビジョン受像機よりも高機能の信号処理を行うテレビジョン受像機が販売された場合には，ユーザは，テレビジョン受像機を買い換えない限り，その高機能を享受することができなかった。
【０００５】一方，例えば，コンピュータにおいては，画像処理ボードや音声処理ボード等の，所定の機能を有するボードの装着が可能となっており，例えば，テレビジョン放送を受信してＭＰＥＧエンコードを行う画像処理ボードを，コンピュータに装着することで，そのコンピュータにおいては，テレビジョン放送番組を，リアルタイムで，ＭＰＥＧエンコードしながら録画することが可能となる。
【０００６】そこで，テレビジョン受像機も，コンピュータと同様に，新たな機能を追加するためのボードを装着可能なように構成することが考えられる。この場合，ユーザは，新たな機能の信号処理を行うボードを購入し，自身が所有するテレビジョン受像機に装着することで，テレビジョン受像機自体を買い換えなくても，新たな機能を享受することが可能となる。」
イ　「【００１０】本発明は，このような状況に鑑みてなされたものであり，テレビジョン受像機等を，追加的に高機能化することができるようにするものである。」
ウ　「【００３２】
【発明の実施の形態】図１は，本発明を適用したテレビジョン受像機の一実施の形態の外観構成例を示している。
【００３３】図１の実施の形態において，テレビジョン受像機は，本体１とリモコン（リモートコントローラ）２から構成されている。
【００３４】本体１の正面には，ＣＲＴ(Cathod Ray Tube)１１が設けられており，ＣＲＴ１１には，例えば，テレビジョン放送番組等の画像が表示される。
【００３５】また，本体１の下部には，６つのスロット１２1乃至１２6が設けられている。スロット１２iには，画像処理カード１３jを着脱することができるようになっている。
【００３６】なお，図１の実施の形態では，６つのスロット１２1乃至１２6のうちのスロット１２1には，いわばデフォルトの画像処理カード１３1が既に装着されており，さらに，そのスロット１２1は，そこに最初から装着されている画像処理カード１３1を容易に抜き差しすることができないように，カバーで覆われている。
【００３７】また，図１の実施の形態では，６つのスロット１２1乃至１２6が設けられているが，スロット数は，６スロットに限定されるものではなく，５スロット以下や７スロット以上とすることが可能である。
【００３８】画像処理カード１３は，テレビジョン受像機の本体１に機能を付加していくことができるＩＣ(Integrated Curcuit)カードまたはメモリカードで，スロット１２iに装着することで，ユーザに，後述するような各種の機能を提供する。
【００３９】ここで，画像処理カード１３としては，例えば，PCMCIA(Personal Computer Memory Card International Association)等の既存の規格に準拠したものを採用することができる。但し，画像処理カード１３としては，独自規格のものを採用することも可能である。」
エ　「【００４３】本体１の背面には，図示せぬアンテナ（に接続されたケーブル）が接続されるアンテナ端子２１，本体１に画像および音声を入力する入力端子２２，並びに本体１から画像および音声を出力する出力端子２３が設けられている。」
オ　「【００４６】さらに，本実施の形態では，画像処理カード１３jをＰＣＭＣＩＡカードのように構成するようにしたが，画像処理カード１３jは，その他，例えば，コンピュータの増設メモリなどで採用されているＰＣＩ(Peripheral Component Interconnect)カードのように構成することが可能である。この場合，スロット１２iは，ＰＣＩカードを装着することのできるコネクタのように構成する必要がある。
【００４７】次に，図３は，図１の本体１の電気的構成例を示している。
【００４８】チューナ３１には，アンテナ端子２１から，図示せぬアンテナで受信された受信信号が供給されるようになっており，チューナ３１は，コントローラ３７の制御の下，所定のチャンネルのテレビジョン放送信号を検波，復調し，Ａ／Ｄ(Analog/Digital)変換器３２に供給する。
【００４９】Ａ／Ｄ変換器３２は，チューナ３１からのテレビジョン放送信号をＡ／Ｄ変換し，そのＡ／Ｄ変換結果のうちの画像データを，Ｙ／Ｃ分離部３３に供給する。」
カ　「【００５１】Ｙ／Ｃ分離部３３は，Ａ／Ｄ変換器３２からの画像データについて，Ｙ／Ｃ分離を行い，セレクタ３４に供給する。セレクタ３４は，コントローラ３７の制御にしたがい，Ｙ／Ｃ分離部３３から供給される画像データ，または入力端子２２から供給される画像データのうちのいずれか一方を選択し，フレームメモリ３５に供給する。
【００５２】フレームメモリ３５は，セレクタ３４から供給される画像データを記憶し，そのまま，出力端子２３およびマトリクス変換部３６に供給する。あるいは，また，フレームメモリ３５は，セレクタ３４から供給される画像データを記憶し，その記憶した画像データを，画像処理インタフェース４０に供給する。さらに，フレームメモリ３５は，画像処理インタフェース４０から供給される，所定の画像処理が施された画像データを記憶し，出力端子２３およびマトリクス変換部３６に供給する。」
キ　「【００５５】マトリクス変換部３６は，フレームメモリ３５から供給される画像データを，ＲＧＢ(Red,Green,Blue)の画像データに変換し，Ｄ／Ａ変換して出力する。マトリクス変換部３６が出力する画像データは，ＣＲＴ１１に供給されて表示される。
【００５６】コントローラ３７は，ＣＰＵ(Central Processing Unit)３７Ａ，ＥＥＰＲＯＭ(Electrically Erasable Programable Read Only Memory)３７Ｂ，ＲＡＭ(Random Access Memory)３７Ｃなどから構成され，チューナ３１や，セレクタ３４，通信インタフェース３８，および画像処理インタフェース４０などを制御する。」
ク　「【００７９】次に，図５は，図３の画像インタフェース４０の第１実施の形態の構成例を示している。
【００８０】インタフェースコントローラ８１は，メモリインタフェース８２を制御する。さらに，インタフェースコントローラ８１は，接続検出部８４の出力に基づいて，スロット１２iに対する画像処理カード１３iの着脱を認識し，その認識結果に基づいて，カードインタフェース８３を制御する。また，インタフェースコントローラ８１は，メモリインタフェース８２とカードインタフェース８２との間の画像データのやりとりを制御する。
【００８１】メモリインタフェース８２は，インタフェースコントローラ８１の制御の下，フレームメモリ３５（図３）から画像データを読み出し，インタフェースコントローラ８１に供給する。また，メモリインタフェース８２は，インタフェースコントローラ８１から供給される画像データを受信し，線順次変換部８５に供給する。
【００８２】カードインタフェース８３は，インタフェースコントローラ８１の制御にしたがい，インタフェースコントローラ８１から供給される画像データを，スロット１２iに装着された画像処理カード１３iに供給する。
【００８３】即ち，カードインタフェース８３は，スロット１２1乃至１２6に接続されており，インタフェースコントローラ８１から供給される画像データや制御信号その他のデータを受信し，スロット１２iに装着された画像処理カード１３iに供給する。
【００８４】さらに，カードインタフェース８３は，スロット１２iに装着された画像処理カード１３iから供給される画像データや制御信号その他のデータを受信し，インタフェースコントローラ８１，または他のスロット１２jに装着された他の画像処理カード１３jに供給する。
【００８５】また，カードインタフェース８３は，スロット１２iが有する図示せぬ端子の電圧（端子電圧）を，接続検出部８４に供給する。
【００８６】接続検出部８４は，カードインタフェース８３を介して，例えば，スロット１２1乃至１２6の端子電圧を監視しており，その端子電圧の変化に基づいて，スロット１２iに対する画像処理カード１３iの装着または抜き取りを検出し，その検出結果を，インタフェースコントローラ８３に供給する。なお，画像処理カード１３iの着脱の検出は，その他，機械的に行うことも可能である。
【００８７】線順次変換部８５は，メモリインタフェース８２から供給される画像データの走査方式を，必要に応じて，インタレース走査方式から順次走査（ノンインタレース走査）方式，または順次走査方式からインタレース走査方式に変換し，フレームメモリ３５に供給して記憶させる。
【００８８】次に，図６は，画像処理インタフェース４０が図５に示したように構成される場合の，画像処理カード１３iの構成例を示している。
【００８９】図６の実施の形態では，画像処理カード１３iは，そこに供給される画像データを，第１の画像データとして，その第１の画像データを，その第１の画像データよりも高画質の第２の画像データに変換するデータ変換処理を行うようになっている。
【００９０】ここで，例えば，第１の画像データを低解像度の画像データとするとともに，第２の画像データを高解像度の画像データとすれば，データ変換処理は，解像度を向上させる解像度向上処理ということができる。また，例えば，第１の画像データを低Ｓ／Ｎ(Siginal/Noise)の画像データとするとともに，第２の画像データを高Ｓ／Ｎの画像データとすれば，データ変換処理は，ノイズを除去するノイズ除去処理ということができる。さらに，例えば，第１の画像データを所定のサイズの画像データとするとともに，第２の画像データを，第１の画像データのサイズを大きくまたは小さくした画像データとすれば，データ変換処理は，画像のリサイズ（拡大または縮小）を行うリサイズ処理ということができる。
【００９１】従って，データ変換処理によれば，第１および第２の画像データをどのように定義するかによって，様々な処理を実現することができる。」
ケ　「【０１２４】次に，図７のフローチャートを参照して，図５の画像処理インタフェース４０の処理について説明する。
【０１２５】画像処理インタフェース４０では，まず最初に，ステップＳ１において，インタフェースコントローラ８１は，接続検出部８４の出力に基づき，スロット１２1乃至１２6のうちのいずれかのスロット１２iに対して，画像処理カード１３iが新たに装着（挿入）されたかどうかを判定する。
【０１２６】ステップＳ１において，スロット１２iに対して，画像処理カード１３iが装着されたと判定された場合，即ち，画像処理カード１３iが，スロット１２iに装着されることにより，そのスロット１２iの端子電圧が変化し，その変化が，接続検出部８４において検出された場合，ステップＳ２をスキップして，ステップＳ３に進む。
【０１２７】また，ステップＳ１において，スロット１２iに対して，画像処理カード１３iが装着されていないと判定された場合，ステップＳ２に進み，インタフェースコントローラ８１は，接続検出部８４の出力に基づき，スロット１２1乃至１２6のうちのいずれかのスロット１２iに装着されている画像処理カード１３iが抜き取られたかどうかを判定する。
【０１２８】ステップＳ２において，スロット１２iから，画像処理カード１３iが抜き取られていないと判定された場合，ステップＳ１に戻り，以下，同様の処理が繰り返される。
【０１２９】また，ステップＳ２において，スロット１２iから，画像処理カード１３iが抜き取られたと判定された場合，即ち，画像処理カード１３iが，スロット１２iから抜き取られることにより，そのスロット１２iの端子電圧が変化し，その変化が，接続検出部８４において検出された場合，ステップＳ３に進み，インタレースコントローラ８１は，カードインタフェース８３を制御することにより，スロット１２1乃至１２6のうち，画像処理カード１３が装着されているものの，その装着されている画像処理カード１３（以下，適宜，装着カードという）すべてから，処理情報を読み出す。
【０１３０】即ち，この場合，処理情報を要求する制御信号が，カードインタフェース８３から，スロット１２iを介して，そこに装着されている画像処理カード１３iのカードコントローラ９８（図６）に供給される。カードコントローラ９８は，処理情報を要求する制御信号を受信すると，生成情報記憶部７９から処理情報を読み出し，カードインタフェース８３に供給する。カードインタフェース８３は，このようにして画像処理カード１３iから供給される処理情報を受信し，インタフェースコントローラ８１に供給する。
【０１３１】その後，ステップＳ４に進み，インタフェースコントローラ８１は，装着カードとしての画像処理カード１３から読み出した処理情報に含まれるカードＩＤを調査し，これにより，動作させる装着カード（以下，適宜，有効カードという）を決定する。」
コ　「【０１３９】即ち，インタフェースコントローラ８１は，有効カードになっている画像処理カード１３について，そのカードＩＤの順位順に，フレームメモリ３５から読み出された画像データを転送するように，その入出力ルートを決定する。従って，例えば，カードインタフェース８３に接続されているすべてのスロット１２1乃至１２6に，カードＩＤが＃１乃至＃６の画像処理カード１３1乃至１３6がそれぞれ装着されている場合には，画像処理カード１３1，１３2，１３3，１３4，１３5，１３6の順で，画像データを転送するように，入出力ルートが決定される。
【０１４０】そして，その後は，カードインタフェース８３において，決定された入出力ルートにしたがって，画像データが転送される。従って，例えば，上述したように，画像処理カード１３1，１３2，１３3，１３4，１３5，１３6の順で，画像データを転送するように，入出力ルートが決定された場合，カードインタフェース８３は，メモリインタフェース８２によってフレームメモリ３５から読み出され，インタフェースコントローラ８１を介して供給された画像データを，画像処理カード１３1に転送する。そして，カードインタフェース８３は，画像処理カード１３1において，画像データについてデータ変換処理が行われ，そのデータ変換処理後の画像データを受信すると，その画像データを，画像処理カード１３2に転送する。以下，同様に，カードインタフェース８３は，画像データを，画像処理カード１３3，１３4，１３5，１３6の順で転送していき，最後の画像処理カード１３6から画像データを受信すると，その画像データを，インタフェースコントローラ８１に供給する。このインタレースコントローラ８１に供給された画像データは，メモリインタレース８２および線順次変換部８５を介して，フレームメモリ３５に記憶され，その後，ＣＲＴ１１で表示される。」
サ　「【０４７３】
【発明の効果】以上の如く，本発明によれば，装置の機能を，追加的に高機能化することができる。」
（２−１−２）引用発明
　上記（２−１−１）の摘記事項アからサまでの記載及び関連する図面並びにこの分野における技術常識を考慮して引用例の記載を検討する。
（ア）　上記ウからコまでには，上記ア及びイに記載されている課題を解決し，上記サの効果を得るための『テレビジョン受像機』が記載されている。
（イ）　上記エ及びオには，アンテナで受信されたテレビジョン放送信号を前記テレビジョン受像機に供給するアンテナ端子が，テレビジョン受像機の本体に設けられていることについて記載されている。
　以上の記載を踏まえれば，引用例には，前記テレビジョン受像機が『アンテナ端子』を含むことについて記載されているといえる。
（ウ）　上記オ及びカには，前記アンテナ端子から供給される，すなわち入力される，テレビジョン放送信号に係る受信信号を，チューナで検波，復調し，次いでＡ／Ｄ変換器でＡ／Ｄ変換し，続いてＹ／Ｃ分離部でＹ／Ｃ分離を行い，後続のセレクタ，フレームメモリへと供給する，すなわち出力することについて記載されている。
　以上の記載を踏まえれば，引用例には，前記テレビジョン受像機が『前記アンテナ端子によって入力される受信信号を処理した画像データを出力する，チューナ，Ａ／Ｄ変換器及びＹ／Ｃ分離部』を含むことについて記載されているといえる。
（エ）　上記クには，前記テレビジョン受像機の画像処理インタフェースに，画像処理カードを着脱できること，及び当該画像処理カードが，供給された画像データを高画質の画像データに変換するデータ変換処理を行うことについて記載されている。
　以上の記載を踏まえれば，引用例には，前記テレビジョン受像機が，『供給された画像データをより高画質の画像データに変換する変換処理を行う画像処理カードが着脱可能』な『画像処理インタフェース』を含むことについて記載されているといえる。
　また，上記カ，ク，ケ及びコには，前記画像処理インタフェースにより，有効な画像処理カードの装着が検出されると，前記フレームメモリから画像処理カードに画像データが転送され，前記データ変換処理を行った画像データが前記画像処理カードから前記フレームメモリに供給されることについて記載されている。
　以上の記載を踏まえれば，引用例には，前記テレビジョン受像機の『画像処理インタフェース』が，『前記画像処理カードの装着時に前記出力された画像データが前記テレビジョン受像機から前記画像処理カードに転送され，前記画像処理カードで前記変換処理がなされた画像データが前記テレビジョン受像機に供給されるようにする』ものであることが記載されているといえる。
（オ）　上記ウには，前記テレビジョン受像機に設けられたＣＲＴにテレビジョン放送番組の画像，すなわち映像が表示されることについて記載されている。
　上記カ，ケ及びコには，前記フレームメモリが，チューナ，Ａ／Ｄ変換部，Ｙ／Ｃ分離部及びセレクタを経由して供給される画像データを，そのまま，映像表示を行うＣＲＴ側へと供給することと，有効な画像処理カードが装着されている場合には，その画像処理カードに前記画像データが転送され，前記変換処理された画像データの供給を受け，これを前記ＣＲＴ側へと供給することとが選択的に記載されている。
　以上の記載を踏まえれば，引用例には，前記テレビジョン受像機が，『前記画像処理カードが前記画像処理インタフェースに装着されていない場合，前記チューナ，Ａ／Ｄ変換器及びＹ／Ｃ分離部からそのまま供給される画像データに基づいた映像を表示し，前記画像処理カードが前記画像処理インタフェースに装着された場合，前記画像処理カードで前記変換処理がなされた画像データに基づいた映像を表示するＣＲＴ』を含むことについて記載されているといえる。
（カ）　上記カ，ク，ケ及びコには，前記ＣＲＴに表示される画像が，前記チューナ，Ａ／Ｄ変換器及びＹ／Ｃ分離部からそのまま提供される画像データに基づくのか，あるいは，前記画像処理カードで前記変換処理がなされた画像データに基づくのかについて，後者が，前記変換処理を行う画像処理カードに画像データが転送されたときであることについて記載され，さらに，当該転送が前記画像処理インタフェースの制御によってなされることについて記載されている。
　また，上記キには，前記画像処理インタフェースを，前記テレビジョン受像機のコントローラが制御することについて記載されている。
　以上の記載を踏まえれば，引用例には，前記テレビジョン受像機が，『前記チューナ，Ａ／Ｄ変換器及びＹ／Ｃ分離部からそのまま提供される画像データ又は前記画像処理カードで前記変換処理がなされた画像データに基づいた映像の表示を制御するコントローラ』を含むことについて記載されているといえる。
（キ）　上記ク，ケ及びコには，前記画像処理インタフェースに前記有効な画像処理カードが装着された場合，前記画像処理インタフェースの制御により，前記テレビジョン受像機が，前記画像処理カードから，前記変換処理がなされた画像データのみならず，他のデータをも受信することについて記載されている。
　また，上記キには，前記画像処理インタフェースを，前記テレビジョン受像機のコントローラが制御することについて記載されている。
　以上の記載を踏まえれば，引用例には，前記テレビジョン受像機の『前記コントローラは，前記画像処理カードが前記画像処理インタフェースに装着された場合，前記テレビジョン受像機が前記画像処理カードから前記変換処理がなされた画像データ以外のデータも受信するように制御を行』うことが記載されている。
（ク）　上記カ，ク，ケ及びコには，前記ＣＲＴに表示される画像が，前記チューナ，Ａ／Ｄ変換器及びＹ／Ｃ分離部からそのまま提供される画像データに基づくのか，あるいは，前記画像処理カードで前記変換処理がなされた画像データに基づくのかについて，後者が，前記画像処理インタフェースに前記有効な画像処理カードが装着されたときであることについて記載され，さらに，前記画像処理インタフェースが，画像データの転送に係る入出力ルートを決定することについて記載されている。
　また，上記キには，前記画像処理インタフェースを，前記テレビジョン受像機のコントローラが制御することについて記載されている。
　以上の記載を踏まえれば，引用例には，前記テレビジョン受像機の『前記コントローラは，前記画像処理カードの前記装着の有無に応じて，前記画像処理インタフェースを制御して前記映像の表示を切り替える』ことについて記載されているといえる。
（ケ）　まとめ
　以上によれば，引用例には，次の発明（以下「引用発明」という。）が開示されている。なお，引用発明に対し，下記のとおり，当審において，（ａ）から（ｉ）までの記号を説明のために付与した。以下，構成要件ａ，構成要件ｂなどと称することとする。
（引用発明）
（ａ）　テレビジョン受像機において，
（ｂ）　アンテナ端子と，
（ｃ）　前記アンテナ端子によって入力される受信信号を処理した画像データを出力する，チューナ，Ａ／Ｄ変換器及びＹ／Ｃ分離部と，
（ｄ）　供給された画像データをより高画質の画像データに変換する変換処理を行う画像処理カードが着脱可能で，前記画像処理カードの装着時に，
　前記出力された画像データが前記テレビジョン受像機から前記画像処理カードに転送され，
　前記画像処理カードで前記変換処理がなされた画像データが前記テレビジョン受像機に供給されるようにする画像処理インタフェースと，
（ｅ）　前記画像処理カードが前記画像処理インタフェースに装着されない場合，前記チューナ，Ａ／Ｄ変換器及びＹ／Ｃ分離部からそのまま供給される画像データに基づいた映像を表示し，
　前記画像処理カードが前記画像処理インタフェースに装着された場合，前記画像処理カードで前記変換処理がなされた画像データに基づいた映像を表示するＣＲＴと，
（ｆ）前記チューナ，Ａ／Ｄ変換器及びＹ／Ｃ分離部からそのまま供給される画像データ又は前記画像処理カードで前記変換処理がなされた画像データに基づいた映像の表示を制御するコントローラと，
　を含み，
（ｇ）前記コントローラは，前記画像処理カードが前記画像処理インタフェースに装着された場合，前記テレビジョン受像機が前記画像処理カードから前記変換処理がなされた画像データ以外のデータも受信するように制御を行い，
（ｈ）前記コントローラは，前記画像処理カードの前記装着の有無に応じて，前記画像処理インタフェースを制御して前記映像の表示を切り替える，
（ｉ）テレビジョン受像機。
（２−２）周知例１から４までの記載及び周知技術
（２−２−１）周知例１の記載
　特開２００６−３９８４８号公報（以下「周知例１」という。）には，図面とともに以下の事項が記載されている。
ア　「【発明を実施するための最良の形態】
【００１０】
  この発明のデータ処理装置は，オプションの構成に応じて実行可能なオプション機能を設定するオプション機能設定部と，オプション機能に対応して２以上のモジュールにモジュール化された機器制御ファームウェアを更新可能に格納するファームウェア格納部と，更新のために提供される新バージョンのファームウェアを取得するファームウェア取得部と，前記オプション機能の設定に応じて新バージョンのファームウェアからモジュールを抽出するモジュール抽出部と，抽出したモジュールをファームウェア格納部に格納しあるいはすでに格納されている現バージョンのモジュールを更新するファームウェア更新部とを備える。
【００１１】
  ここで，データ処理装置は，例えば画像データを処理する装置であってもよいがこれに限定されず，装置に格納されたファームウェアに基づいてデータを処理する装置であればよい。また，オプションとは装置の本体に対して機能の拡張を目的として付加される機器およびファームウェアをいう。この明細書でいうオプションは，機器の付加が不要でファームウェアの付加のみによって実現される機能を含んでいてもよい。」
イ　「【００２３】
  図２は，前述のデータ処理装置のファームウェア更新に関する各部の機能を示している。図２で，ファームウェア取得部２３０は，外部から提供される新バージョンのファームウェアを取得して，２次ファームウェア格納部２１１へ格納する。
また，オプション機能設定部２３３は，データ処理装置のオプション装着状態を判定し，それに応じてオプション機能を設定する。
  モジュール抽出部２３２は，オプション機能の設定に応じてファームウェア取得部２３０が取得しようとしている新バージョンのファームウェア，あるいは取得されて２次ファームウェア格納部２１１に格納されたファームウェアの中から必要なモジュールを抽出する。
  さらにまた，ファームウェア更新部２３１は，モジュール袖手粒２３２によって抽出されたモジュールをファームウェア格納部２０８へ格納する。」
ウ　「【００３６】
  ファームウェアを更新する際に，まず図２に示すファームウェア取得部２３０が，新バージョンのバームウェアを取得して主記憶部２１１にダウンロードする（ステップＳ１０）。新バージョンのファームウェアは，例えばネットワーク上のサーバからダウンロードしてもよいし，ＵＳＢやパラレルインターフェースを介して接続されたホストからダウンロードしてもよい。あるいは，装置がソケット端子を備え，ソケットに装着されたＲＯＭやデータカードなどからダウンロードするようにしてもよい。ファームウェアのダウンロード後，正常にダウンロードが行われたかどうかのチェックを行う（ステップＳ１１）。これは，例えばダウンロードしたファームウェアのパリティーチェックやサムチェックなどで判定することができる。ダウンロードが正常に行われた場合，ルーチンはステップＳ１２へ進む。異常終了の場合は以後の処理を行わない。この場合，異常を知らせるメッセージを表示してユーザの再操作を促すようにしてもよい。ステップＳ１２で，オプション機能設定部２３３が装置のオプション構成を判定する。装置に全てのモジュールが装着されている場合，ルーチンはステップＳ１３へ進み，モジュール抽出部２３２は，全てのモジュールを選択する。一方，装置に一部のオプションが装着されている場合，ルーチンはステップＳ１４へ進み，モジュール抽出部２３２は，装着オプションに対応するモジュールを抽出する。あるいは，まったくオプションが装着されていない場合には，ルーチンはステップＳ１５へ進み，モジュール抽出部２３２は，本体に関するモジュールのみを選択する。」
（２−２−２）周知例２の記載
　特開２００２−５１０６９号公報（以下「周知例２」という。）には，図面とともに以下の事項が記載されている。
ア　「【００３３】
【発明の実施の形態】本発明のゲートウェイ装置の１つの実施の形態について図１〜図６を参照して説明する。（後略）」
イ　「【００４３】ＩＣモジュールインタフェース１２は，予め用意されたＩＣモジュール２０が図２に示すスロット５１に装着された場合に，ＩＣモジュール２０に対してデータの読み書きを行うためのインタフェース回路である。ＩＣモジュール２０は，シングルチップの集積回路を小型のプラスチックモジュールに実装して構成したものである。このＩＣモジュール２０は，図２に示すように一般のＩＣカードに比べて多少厚みの大きい直方体の形状をなしているため，ＩＣカードと同様に利用者が携帯し持ち運ぶことができる。
【００４４】ＩＣモジュール２０を構成する集積回路のチップ上には，不揮発性メモリ，ＣＰＵ，ＲＯＭ，ＲＡＭ，入出力回路などが搭載されている。ＩＣモジュール２０は接触型であり，ＩＣモジュール２０の側面には，外部の回路と接続するための電気接点が設けてある。ＩＣモジュール２０に内蔵される不揮発性メモリには，様々な情報が保持される。具体的には，各々の端末電子機器について，利用可能な伝送路の種類，予め割り当てられたローカルアドレス，予め割り当てられたグローバルアドレス，変調方式，伝送速度，符号化の種類，外部ネットワークとの間の通信の可否（アクセス権），機器の名称，機器の製造年月日，機器のシリアル番号，機器のサービスに関する連絡先，機器の廃棄時の処理に関する情報などがＩＣモジュール２０に保持される。」
ウ　「【００４８】操作ボード１５には，図２に示すインジケータ５２，スイッチ５３，電源スイッチ５４及び液晶表示部５５が設けてある。各インジケータ５２は各スロット５１の状態を表示するために利用される。スイッチ５３は様々な入力操作に利用される。液晶表示部５５には文字列などの情報を表示することができる。ＩＣモジュール２０は，各端末電気機器に対するゲートウェイ装置１０の動作状態を予め定めた状態に初期化するために利用される。すなわち，ゲートウェイ装置１０はスロット５１に装着されたＩＣモジュール２０から読み取った情報に基づいて各端末電気機器に対する動作を初期化する。
【００４９】通信制御部１１は，ゲートウェイ装置１０の動作を制御するために図４に示す処理を実行する。また，各端末電子機器は，ゲートウェイ装置１０からの命令に従って図５に示す処理を実行する。図４及び図５を参照して各ステップの動作について以下に説明する。図４のステップＳ１０では，ＩＣモジュールインタフェース１２の状態を調べていずれかのスロット５１に対してＩＣモジュール２０が装着されたか否かを識別する。ＩＣモジュール２０が装着されたことを検出するとステップＳ１１に進む。
【００５０】ステップＳ１１では，スロット５１に装着されたＩＣモジュール２０から通信制御に必要な情報を読み出す。通信制御に必要な情報としては，利用可能な伝送路の種類，ローカルアドレス，グローバルアドレス，変調方式，伝送速度，符号化の種類及びアクセス権がある。次のステップＳ１２では，スロット５１に装着されたＩＣモジュール２０に予め対応付けられた端末電子機器に対して通信要求命令を送信する。この通信要求命令は，例えば図６に示す信号フレームＦＲ１を用いて送信される。」
エ　「【００６１】（中略）図４のステップＳ１６においては，ゲートウェイ装置１０の通信制御部１１はステップＳ１１でＩＣモジュール２０から読み込んだアクセス権の情報を参照し，通信相手の端末電子機器に対する外部アクセスが許可されているか否かを識別する。外部アクセスが許可されている場合には，ステップＳ１６からＳ１７に進む。
【００６２】ステップＳ１７では，ゲートウェイ装置１０は端末電子機器に対して信号フレームＦＲ５をアドレス変更命令として送信する。この信号フレームＦＲ５には，送信先アドレスＤ５１，ゲートウェイアドレスＤ５２，命令コード種別Ｄ５３，機器アドレス情報Ｄ５４及びエラー検出コードＤ５５が含まれている。信号フレームＦＲ５の送信先アドレスＤ５１及びゲートウェイアドレスＤ５２は，信号フレームＦＲ１の送信先アドレスＤ１１及びゲートウェイアドレスＤ１２と同一である。
【００６３】命令コード種別Ｄ５３は，当該端末電子機器に対して新しいアドレスを割り当てることを意味する。機器アドレス情報Ｄ５４は，当該端末電子機器に割り当てられる新しいアドレスの内容である。ステップＳ１７においては，ステップＳ１１でＩＣモジュール２０から読み込んだグローバルアドレスを機器アドレス情報Ｄ５４として送信する。」
オ　「【００６８】なお，外部ネットワークに対するアクセスを禁止する場合には，ステップＳ２１で送信するアドレス変更命令において，機器アドレス情報Ｄ５４をローカルアドレスに変更するか，あるいは初期状態のローカルアドレスに戻すための命令コードを送信すればよい。ステップＳ２３では，ＩＣモジュールインタフェース１２を介してＩＣモジュール２０の接続状態を監視し，ＩＣモジュール２０がスロット５１から離脱したか否かを識別する。ＩＣモジュール２０の離脱を検出した場合には，ステップＳ２３からＳ２４に進む。」
カ　「【００７１】なお，利用者がＩＣモジュール２０をスロット５１から取り出した場合には，そのＩＣモジュール２０から読み出した情報をゲートウェイ装置１０上から消去したり無効化するのが望ましい。図４に示された処理の他に，ゲートウェイ装置１０は，それに接続された家庭内の複数の端末電子機器の間の通信に関する中継や，家庭内の各端末電子機器とインターネット３２に接続された端末との間の通信に関する中継を行う。」
（２−２−３）周知例３の記載
　国際公開第０１／３７５５５号（以下「周知例３」という。）には，図面とともに以下の事項が記載されている。
ア　「この発明は，衛星を使ったディジタル放送や地上波のディジタル放送を受信するためのディジタル放送の受信装置に用いて好適なディジタル信号処理装置及びシステム，並びに拡張機能の提供方法に関するもので，特に，効率的な設計が行え，設計変更が容易であると共に，新たなサービスの追加や機能アップに容易に対応できるようにしたものに係わる。」（第１ページ第６〜１１行）
イ　「ディジタルテレビジョン受信機に必要な要素をブロック化し，各ブロック間を，汎用性のあるバスを介して接続するようにしている。そして，新たなサービスを受けられるように，このバスに対して着脱自在の拡張プラグインカードが用意される。拡張プラグインカードに，拡張機能を実現するためのハードウェアと，このハードウェアを制御させるためコマンドが記述されたスクリプトが格納されている。拡張プラグインカードがインターフェースを介してバスに装着されると，このスクリプトがホスト演算処理ブロック側に自動的にアップロードされる。ホスト演算処理ブロックは，この転送されてきたスクリプトに基づいて，拡張プラグインカードを動作させることができる。このため，新たなハードウェアを追加したときに，ソフトウェアのインストールは不要となる。」（第６ページ第２〜１２行）
ウ　「インターフェースブロック１４は，ＩＥＥＥ１３９４のような外部機器と接続するためのインターフェースである。プラグインインターフェースブロック１５は，機能拡張用を接続するためのインターフェースである。」（第８ページ第１１〜１４行）
エ　「更に，音楽データをダウンロードできるようなサービスや，ビデオオンデマンドのサービス，その他，種々のサービスが考えられており，新たなサービスを受けるために，ハードウェアを追加したい場合がある。この場合には，プラグンインターフェースブロック１５に装着される機器として，そのハードウェアを追加できる。」（第１３ページ第１０〜１４行）
オ　「プラグインインターフェース３５は，新たなサービスを受ける場合等に拡張機能を提供するためのものである。プラグインインターフェース３５には，拡張プラグインカード３６が装着される。拡張プラグインカード３６には，拡張機能を実現するためのソフトウェアやハードウェアからなる拡張機能８１と，ＣＰＵ８２とを含んでいる。」（第１７ページ第２１〜２５行）
カ　「テレビジョン受信機２０を構成するのに必要な各機能は，ブロック３１，３２，３３，３４，３５としてバス３０に繋がれ，バス３０を介して，コマンドやストリームが転送される。バス３０を標準化することで，開発効率が上がり，放送方式の変更やサービスの変更や追加にも容易に対応できる。」（第１９ページ第２４〜２６行）
キ　「また，この発明が適用されたテレビジョン受信機２０では，外部拡張ブリッジ３５に拡張プラグインカード３６を装着することで，新たな機能を付加して，新たなサービスに対応させたりすることができる。
  つまり，第１０図に示すように，上述のようにして構成されたテレビジョン受信機２０では，例えばテレビジョン受信機２０の前面に，カード装着部９１が設けられる。このカード装着部９１に，拡張プラグインカード３６が装着される。カード装着部９１に拡張プラグインカード３６が装着されると，拡張プラグインカード３６がプラグインインターフェース３５を介してバス３０に繋がれる。
  このように，拡張プラグインカード３６を，プラグインインターフェース３５を介してバス３０に繋ぐことで，新たなサービスに対応したり，機能を拡張させたりすることができる。
  このような拡張プラグインカード３６を装着したとき，その拡張プラグインカード３６の機能が働けるようにするためには，制御用のソフトウェアが必要な場合がある。この制御用のソフトウェアを磁気ディスクや光ディスクのような記録媒体で提供し，ユーザがドライバのソフトウェアをインストールすることが考えられるが，それでは，ユーザの負担になる。
  そこで，第１１図に示すように，拡張プラグインカード３６内のメモリにスクリプトを入れておき，拡張プラグインカード３６が装着されると，このスクリプトがホストＣＰＵ２１の主記憶にアップロードされるようにしている。
  つまり，第１１図に概念図で示すように，拡張プラグインカード３６には，コマンドスクリプトＣＭＤと，コマンドインターフェースＣＩＦと，ドライバＤＲＶが含まれている。新たな拡張プラグインカード３６が装着されると，ホストＭＰＵ２１により拡張プラグインカード３６が装着されたことが認識される。それから，この拡張プラグインカード３６を動作させるためのコマンドスクリプトＣＭＤがホストＣＰＵ２１側にアップロードされる。コマンドスクリプトＣＭＤがホストＭＰＵ２１側にアップロードされると，ホストＭＰＵ２１側では，新たに装着された拡張プラグインカード３６を動作させるためのコマンドを発生できる。
  新たに装着された拡張プラグインカード３６を動作させるときには，ホストＭＰＵ２１側のスクリプトエンジンＳＥＮＧからコマンドが発生され，このコマンドがバス３０を介して，拡張プラグインカード３６に送られる。拡張プラグインカード３６のコマンドインターフェースＣＩＦで，このコマンドが解釈され，ドライバＤＲＶにより，送られてきたコマンドに応じて，ハードウェアが制御される。
  例えば，番組を記録／再生できるような機器が拡張プラグインカード３６の場合には，第１２図に示すように，逆方向送りキー２０２Ａ，停止キー２０２Ｂ，再生キー２０２Ｃ，早送りキー２０２Ｄ，録画キー２０２Ｃの表示に，逆方向送り，停止，再生，早送り，録画を行うためのコマンドＣＭＤ１１，ＣＭＤ１２，ＣＭＤ１３，ＣＭＤ１４，ＣＭＤ１５を埋め込んだようなスクリプトがハイパーテキストで記述される。このようなスクリプトが読み込まれると，ブラウザにより第１２図に示すような画面が形成される。そして，キー２０２Ａ〜２０２Ｅがクリックされると，埋め込まれていたコマンドが発生され，このコマンドにより，その機器の動作が制御される。
  第１３図及び第１４図は，このときの処理を示すフローチャートである。第１３図において，拡張プラグインカード３６が装着されると（ステップＳ１），拡張プラグインカード３６が装着されたことがホストＭＰＵ２１で判断され（ステップＳ２），このプラグイン拡張カード３６がどのようなカードであるか確認できるか否かが判断される（ステップＳ３）。拡張プラグインカード３６が認識できなければ，警告が出される（ステップＳ４）。
  ここで，拡張プラグインカード３６が確認できたら，拡張プラグインカード３６内にあるコマンドスクリプトＣＭＤがアップロードされる（ステップＳ５）。このように，拡張プラグインカード３６内にあるコマンドスクリプトＣＭＤをアップロードすることで，ホストＭＰＵ２１は，装着された拡張プラグインカード３６に対するコマンドを認識し，装着された拡張プラグインカード３６に対する処理を行えるようなる。
  第１４図において，コマンドスクリプトがアップロードされた後に，その拡張プラグインカード３６を動作させるためのユーザ操作がなされると（ステップＳ１１），スクリプトのチェックが行われ（ステップＳ１２），チェックの結果が正しいか否かが判断される（ステップＳ１３）。チェックの結果が正しくなければ，警告が表示される（ステップＳ１４）。チェックの結果が正しければ，スクリプトエンジンＳＥＮＧでスクリプトが解釈され（ステップＳ１５），コマンドが発行される（ステップＳ１６）。このコマンドにより，拡張プラグイン機器が動作される（ステップＳ１７）。
  なお，上述の例では，新たな拡張プラグインカード３６を装着する場合について説明したが，バス３０に新たなブロックを追加する場合にも，同様な手法を使って，新たなブロックに対するコマンドスクリプトをアップロードすることかできる。」（第２１ページ第８行〜第２４ページ第３行）
（２−２−４）周知例４の記載
　特開平８−１６１２５２号公報（以下「周知例４」という。）には，図面とともに以下の事項が記載されている。
ア　「【０００１】
【産業上の利用分野】本発明は，情報処理装置の機能を拡張する機能拡張装置に係り，特に，情報処理装置に接続するだけで，情報処理装置上の任意のアプリケーションソフトウエアにおいて拡張機能が利用できるようになる機能拡張装置およびそのようにして機能拡張された情報処理装置に関する。」
イ　「【００１０】本発明の第１の目的は，情報処理装置に，その機能を拡張するため装置を接続する際に，当該装置を情報処理装置に接続することにより，専用ソフトウエアを自動的に情報処理装置にインストールできる，情報処理装置の機能を拡張するための機能拡張装置および情報処理装置を提供することにある。」
ウ　「【００２０】本発明は，種々の機能を拡張するための機能拡張装置に適用することができる。以下では，その一例として，計算機（電子計算機）に，音声合成機能を拡張機能として付加するための装置である音声合成装置，および，これを実現するための機能拡張システムの例について説明する。特に，ここでは，カード型の形状を有する音声合成装置を用いる例を示す。もちろん，本発明に適用することができる機能拡張装置は，カード型の形態に限定されるものではない。また，本発明は，計算機に限られず，情報処理を行なう装置であればよい。例えば，制御用のコントローラ，情報記憶装置，通信制御装置等に適用することができる。
【００２１】図１は，本発明が適用される音声合成装置の機能構成を示すブロック図である。図１に示すように，本発明の音声合成装置１０１は，カード型のケース１０１ａに収容されたもので，内部に，音声合成装置１０１自体の制御を行う音声合成制御部１０２と，文字データ等を格納するテキストデータ格納部１０３と，文字データから音声を生成する音声合成部１０４と，デジタル信号をアナログ信号に変換するＤ／Ａ部１０５とを備える。また，音声合成装置１０１には，スピーカ１０６が接続される。このスピーカ１０６には，増幅器を内蔵してあるが，省略してもよい。また，スピーカ１０６は，音声合成装置１０１に内蔵させてもよい。さらに，計算機本体３０１に設けてもよい。」
エ　「【００３４】次に，音声合成装置１０１を計算機本体３０１に装着し，音声合成制御部１０２から計算機本体３０１へ専用ソフトウエアをインストールする処理について説明する。
【００３５】音声合成装置１０１を計算機本体３０１に装着すると，装着完了の信号が計算機本体３０１のオペレーティングシステム３０３に送られる。計算機本体３０１のオペレーティングシステム３０３は，装着完了の信号を受けると，音声合成制御部１０２に対して，計算機本体３０１に導入するソフトウェアの有無を尋ねる。音声合成制御部１０２は，計算機本体３０１のオペレーティングシステム３０３に，インストールする専用ソフトウエアのアドレス等の情報を返す。計算機本体３０１のオペレーティングシステム３０３は，音声合成制御部１０２から，専用ソフトウエアを計算機本体３０１にインストールする。」
オ　「【００５０】図１３は，拡張カード１１０２が挿入されてから専用ソフトウエア２０６が組み込まれるまでの間の情報の授受を示すチャートである。カードが計算機本体に挿入されると，カード挿入通知信号が計算機に送られる（１２０１）。計算機本体は，専用ソフトウエア２０６の有無をカードに照会する（１２０２）。カード内に専用ソフトウエア２０６がある場合は，専用ソフトウエア２０６ありの信号がカードから返されてくる（１２０３）。次に，計算機からカードに専用ソフトウエア取り出し要求を送ると（１２０４），カードから専用ソフトウエア２０６が送られてくる（１２０５）。専用ソフトウエア２０６の受け取りが完了すると，計算機は，専用ソフトウエア２０６を組み込み，実行する（１２０６）。」
カ　「【００５５】ＯＳの処理フローを図１８に示す。図１８では，拡張カードからの専用ソフトウエアの自動導入についての処理のみを説明し，その他の処理については，その他の処理（ステップ１８０４）としている。まず，カードが挿入されたか否かをチェックする（ステップ１８０１）。挿入されている場合は，カード内に本ＯＳ用の専用ソフトウエア２０６が格納されているか否かをチェックする（ステップ１８０２）。格納されている場合は，専用ソフトウエア２０６をカードから読みだして，実行する（ステップ１８０３）。その後は，他のＯＳ処理（ステップ１８０４）を行い，再びカードの挿入チェック（ステップ１８０１）から処理を繰り返す。
【００５６】以上に述べた実施例は，主として音声合成装置を機能拡張装置とし，それについて，そのための機能拡張システムと共に説明したが，本発明は，これに限定されない。（後略）」
（２−２−５）周知技術
　上記（２−２−１）のアに記載されているように，周知例１に記載された技術思想は，例示されている画像データ処理装置だけでなく，装置に格納されたファームウェアに基づいてデータを処理する装置一般に関するものである。
　そして，上記（２−２−１）のイ及びウには，装置にオプションが装着され，オプション機能の設定なされるような場合において，前記ファームウェアの新バージョンをダウンロードすることが記載されている。
　さらに，上記（２−２−１）のウには，新バージョンのファームウェアをダウンロードする態様として，前記装置のソケットに装着されたＲＯＭやデータカードなどから当該ダウンロードを行うことが記載されている。
　したがって，上記（２−２−１）の摘記事項及び関連する図面並びにこの分野における技術常識を踏まえると，引用例１には，以下の周知技術１が開示されているといえる。
（周知技術１）
「装置に機能を拡張する機器が接続された場合，その機能の拡張に対応するため，前記装置に装着されたカード状の媒体のファームウェアに基づき，装置のファームウェアを更新すること。」
　また，上記（２−２−２）から（２−２−４）までの摘記事項及び関連する図面並びにこの分野における技術常識を踏まえると，（ア）周知例２には，図２に示されているようなカード型のＩＣモジュールのゲートウェイ装置への装着により，端末電子機器にグローバルアドレスが割り当てられ，外部アクセス可能となることが記載され，（イ）周知例３には，拡張機能を実現するためのハードウェア及びソフトウェアを備えた拡張プラグインカードのテレビジョン受像機への装着により，音楽データをダウンロードできるようなサービス，ビデオンオンデマンドのサービス，あるいは番組を記録／再生できるようにするサービスが受けられるようになることが記載され，（ウ）周知例４には，拡張カードの本体への装着により音声合成処理が行えるようになることが記載されており，いずれも，カード型の機器が本体に装着されることにより，本体と一体となって拡張機能を実行することができるようになることが記載されているといえる。
　さらに，（エ）周知例２に記載された，前記ＩＣモジュールからゲートウェイ装置が取得するグローバルアドレス，アクセス権等の情報，（オ）周知例３に記載された，前記拡張プラグインカードからテレビジョン受像機にアップロードされるコマンドスクリプト，（カ）周知例４に記載された，拡張カードから本体が取得する専用ソフトウェアは，いずれも，カード状の機器が本体に装着された場合，当該本体がその拡張機能を実行するために取得される情報といえる。
　したがって，引用例２から４までには，以下の周知技術２が開示されている。
（周知技術２）
「本体に，本体と一体になって拡張機能を実行することができるようになるカード状の機器が接続された場合，当該本体がその拡張機能を実行するための情報を当該カード状の機器から取得すること。」
（３）対比
　補正後の発明と引用発明とを対比する。
ア　補正後の発明の構成要件Ａ及びＩと引用発明の構成要件ａ及びｉとの対比
　引用発明の「テレビジョン受像機」が，補正後の発明の「ＴＶ」に相当することは，明らかである。
　よって，引用発明の構成要件ａ「テレビジョン受像機において，」，構成要件ｉ「テレビジョン受像機」は，それぞれ，補正後の発明の構成要件Ａ「ＴＶにおいて，」，構成要件Ｉ「ＴＶ」に相当する。
イ　補正後の発明の構成要件Ｂと引用発明の構成要件ｂとの対比
　引用発明の「アンテナ端子」は，テレビジョン受像機において，テレビジョン放送信号を入力する部分であるから，補正後の発明の「信号入力部」に相当する。
　よって，引用発明の構成要件ｂ「アンテナ端子と，」は，補正後の発明の構成要件ｂ「信号入力部と；」に相当する。
ウ　補正後の発明の構成要件Ｃと引用発明の構成要件ｃとの対比
　引用発明の「受信信号」は，前記アンテナ端子によって入力される信号であるから，補正後の発明の「入力信号」に相当する。
　また，引用発明の「チューナ，Ａ／Ｄ変換器及びＹ／Ｃ分離部」は，テレビジョン放送信号を処理しているから，「映像処理部」ということができる。そして，この映像処理部で処理され出力された「画像データ」は，「出力信号」ということができ，これを他の出力信号と区別するために「第１出力信号」と称することは任意である。
　よって，引用発明の構成要件ｃ「前記アンテナ端子によって入力される受信信号を処理した画像データを出力する，チューナ，Ａ／Ｄ変換器及びＹ／Ｃ分離部と，」は，補正後の発明の構成要件Ｃ「前記信号入力部によって入力される入力信号を処理して第１出力信号を出力する映像処理部と；」に相当するといえる。
エ　補正後の発明の構成要件Ｄと引用発明の構成要件ｄとの対比
　引用発明の「供給された画像データをより高画質の画像データに変換する変換処理」は，画像データに係る信号処理を行うものであるから，補正後の発明の「信号処理」に相当する。
　引用発明の「画像処理カード」は，テレビジョン受像機本体での処理による画質よりも高画質，すなわちアップグレードとなる処理を行うものであるから，補正後の発明の「アップグレード装置」に相当する。
　引用発明の「着脱可能」，「装着時」が，それぞれ，補正後の発明の「接続可能」，「接続時」に相当することは，明らかである。
　また，前記テレビジョン受像機から前記画像処理カードに転送される，引用発明の前記出力された「画像データ」は，上記ウの検討により，補正後の発明の「第１出力信号」に相当する。ここで，補正後の発明の「前記入力信号及び前記第１出力信号の中で少なくとも一つ」の信号が送信されるという，択一的記載で示された事項についてみると，入力信号か，あるいは，第１出力信号のいずれかが送信されるのであれば，これに該当することになる。したがって，引用発明の前記出力された「画像データ」は，上述のとおり，本願発明の「第１出力信号」に相当するのであるから，補正後の発明の「前記入力信号及び前記第１出力信号の中で少なくとも一つ」に相当することになる。
　さらに，引用発明の「転送」が本願発明の「送信」に相当することは，明らかである。
　また，引用発明の，テレビジョン受像機に供給される，「前記画像処理カードで前記変換処理がなされた画像データ」は，当該画像処理カードからテレビジョン受像機へと「出力される」信号であり，前記第１出力信号とは異なる出力信号であるから，これを「第２出力信号」ということは任意である。
　さらに，引用発明の前記テレビジョン受像機に「供給される」ことが，補正後の発明の前記ＴＶに「受信される」ことに相当することは，明らかである。
　また，引用発明の「画像処理インタフェース」は，補正後の発明のアップグレード装置に相当する画像処理カードを，前記テレビジョン受像機に対して接続することを可能にするものであるから，補正後の発明の「アップグレード装置接続部」に相当する。
　よって，引用発明の構成要件ｄ「供給された画像データをより高画質の画像データに変換する変換処理を行う画像処理カードが着脱可能で，前記画像処理カードの装着時に，前記出力された画像データが前記テレビジョン受像機から前記画像処理カードに転送され，前記画像処理カードで前記変換処理がなされた画像データが前記テレビジョン受像機に供給されるようにする画像処理インタフェースと，」は，補正後の発明の構成要件Ｄ「信号処理を行うアップグレード装置が接続可能で，前記アップグレード装置の接続時に前記入力信号及び前記第１出力信号の中で少なくとも一つが前記ＴＶから前記アップグレード装置に送信され，前記アップグレード装置から出力される第２出力信号が前記ＴＶに受信されるようにするアップグレード装置接続部と；」に相当するといえる。
オ　補正後の発明の構成要件Ｅと引用発明の構成要件ｅとの対比
　上記ウの検討により，引用発明の「前記チューナ，Ａ／Ｄ変換器及びＹ／Ｃ分離部からそのまま供給される画像データに基づいた映像」は，補正後の発明の「前記第１出力信号に基づいた映像」に相当する。
　また，上記エの検討により，引用発明の「前記画像処理カードで前記変換処理がなされた画像データに基づいた映像」は，補正後の発明の「前記第２出力信号に基づいた映像」に相当する。
　また，引用発明の「ＣＲＴ」は，テレビジョン番組の映像等を表示するものであるから，補正後の発明の「ディスプレイ部」に相当する。
　よって，引用発明の構成要件ｅ「前記画像処理カードが前記画像処理インタフェースに装着されない場合，前記チューナ，Ａ／Ｄ変換器及びＹ／Ｃ分離部からそのまま供給される画像データに基づいた映像を表示し，前記画像処理カードが前記画像処理インタフェースに装着された場合，前記画像処理カードで前記変換処理がなされた画像データに基づいた映像を表示するＣＲＴと，」は，補正後の発明の構成要件Ｅ「前記アップグレード装置が前記アップグレード装置接続部に接続されない場合，前記第１出力信号に基づいた映像を表示し，前記アップグレード装置が前記アップグレード装置接続部に接続された場合，前記第２出力信号に基づいた映像を表示するディスプレイ部と；」に相当するといえる。
カ　補正後の発明の構成要件Ｆと引用発明の構成要件ｆとの対比
　上記オで検討したように，引用発明の「前記チューナ，Ａ／Ｄ変換器及びＹ／Ｃ分離部からそのまま供給される画像データ」に「基づいた映像」は，補正後の発明の「前記第１出力信号」に「基づいた映像」に相当し，引用発明の「前記画像処理カードで前記変換処理がなされた画像データ」に「基づいた映像」は，補正後の発明の「前記第２出力信号」に「基づいた映像」に相当する。
　また，引用発明の「コントローラ」が補正後の発明の「制御部」に相当することは，明らかである。
　よって，引用発明の構成要件ｆ「前記チューナ，Ａ／Ｄ変換器及びＹ／Ｃ分離部からそのまま供給される画像データ又は前記画像処理カードで前記変換処理がなされた画像データに基づいた映像の表示を制御するコントローラと，を含み，」は，補正後の発明の構成要件Ｆ「前記第１出力信号又は前記第２出力信号に基づいた映像の表示を制御する制御部と；を含み，」に相当するといえる。
キ　補正後の発明の構成要件Ｇと引用発明の構成要件ｇとの対比
　引用発明の「前記変換処理がなされた画像データ以外のデータ」は，画像データ以外の「情報」ということができる。
　よって，上記ア，エ，カの検討も踏まえれば，引用発明と補正後の発明とは，「前記制御部は，前記アップグレード装置が前記アップグレード装置接続部に接続された場合」，「前記ＴＶ」に「前記アップグレード装置」から「情報」が「受信」される点で共通し，補正後の発明では，その「情報に基づいて前記ＴＶのファームウェアがアップグレードされるように制御を行う」のに対し，引用発明では，その「情報」がファームウェアに係るものではないために，当該情報に基づいてテレビジョン受像機のファームウェアがアップグレードされるように制御を行うものではない点で相違する。
ク　補正後の発明の構成要件Ｈと引用発明の構成要件ｈとの対比
　上記エ，カの検討を踏まえれば，引用発明の「前記コントローラは，前記画像処理カードの前記装着の有無に応じて」，「前記映像の表示を切り替える」ことは，補正後の発明の「前記制御部は」，「前記アップグレード装置の前記接続の有無に応じて，前記映像の表示を切り替える」ことに相当する。
　よって，引用発明と補正後の発明とは，「前記制御部は，さらに，前記アップグレード装置の前記接続の有無に応じて，前記映像の表示を切り替える」点で共通する。しかしながら，「前記映像の表示を切り替え」るに当たり，補正後の発明では，「映像信号スイッチのオン・オフ」をするのに対し，引用発明では，「前記画像処理インタフェースを制御」する点で相違する。
ケ　まとめ
　上記アからクまでに示した対比結果に基づき，補正後の発明と，引用発明との間の一致点と相違点をまとめると，以下のとおりである。
（一致点）
「ＴＶにおいて，
　信号入力部と；
　前記信号入力部によって入力される入力信号を処理して第１出力信号を出力する映像処理部と；
　信号処理を行うアップグレード装置が接続可能で，前記アップグレード装置の接続時に前記入力信号及び前記第１出力信号の中で少なくとも一つが前記ＴＶから前記アップグレード装置に送信され，前記アップグレード装置から出力される第２出力信号が前記ＴＶに受信されるようにするアップグレード装置接続部と；
　前記アップグレード装置が前記アップグレード装置接続部に接続されない場合，前記第１出力信号に基づいた映像を表示し，前記アップグレード装置が前記アップグレード装置接続部に接続された場合，前記第２出力信号に基づいた映像を表示するディスプレイ部と；
　前記第１出力信号又は前記第２出力信号に基づいた映像の表示を制御する制御部と；
　を含み，
　前記制御部は，前記アップグレード装置が前記アップグレード装置接続部に接続された場合，前記ＴＶに前記アップグレード装置から情報が受信されるように制御を行い，
　前記制御部は，さらに，前記アップグレード装置の前記接続の有無に応じて，前記映像の表示を切り替える，
　ことを特徴とするＴＶ。」
（相違点１）
　「前記ＴＶに前記アップグレード装置から情報が受信される」ことに関し，補正後の発明は，その「情報」に基づいて「前記ＴＶのファームウェアがアップグレードされるように制御」を行うものであるのに対し，引用発明は，その「情報」がファームウェアに係るものではないために，当該情報に基づいて「前記ＴＶのファームウェアがアップグレードされるように制御」を行うものではない点。
（相違点２）
　「前記映像の表示を切り替え」るに当たり，補正後の発明では，「映像信号スイッチのオン・オフ」をするのに対し，引用発明では，「前記画像処理インタフェースを制御」する点。
（４）当審の判断
ア　上記（相違点１）について
（ア）　上記３（２−２−５）に，周知技術１として示したように，装置に機能を拡張する機器が接続された場合，その機能の拡張に対応するため，前記装置に装着されたカード状の媒体のファームウェアに基づき，装置のファームウェアを更新することは，本願出願前に周知である。また，上記３（２−２−５）に，周知技術２として示したように，本体に，本体と一体になって拡張機能を実行することができるようになるカード状の機器が接続された場合，当該本体がその拡張機能を実行するための情報を当該カード状の機器から取得することも，本願出願前に周知である。
（イ）　引用発明は，装着された画像処理カードにより，アンテナで受信されたテレビジョン放送信号に係る画像データを，テレビジョン受像機本体のみの処理による画質よりも高画質にする処理，すなわち拡張機能の実行が可能になるものである。当該拡張機能は，前記画像処理カードと前記テレビジョン受像機とが一体となって実現されるものであるから，前記テレビジョン受像機が当該拡張機能に対応して動作しなければ，前記画像処理カードを物理的に装着しても，当該拡張機能の実行がなされないという不都合が生じてしまうことは当然である。このことを考慮して，引用発明に上記周知技術２を適用し，前記テレビジョン受像機に前記画像処理カードが接続された場合，前記テレビジョン受像機が当該拡張機能を実行するための情報を前記画像処理カードから取得するように構成することは，当業者が容易に想到し得たことである。
　また，装置がファームウェアを有することは一般なことであるところ，引用発明のように，拡張機能を実行するための機器が本体に接続された場合，当該接続の前と比して，装置の全体構成及び全体としてなし得る機能が異なることになることに鑑みて，ファームウェアを拡張された構成・機能に応じたものにしなければならないことは，当業者にとって，当然に想定されることである。このことを踏まえ，引用発明において，上記周知技術２を適用する際に，周知技術１を考慮して，前記画像処理カードから取得する情報を，ファームウェアに係るものとし，当該情報に基づいてテレビジョン受像機のファームウェアを更新するように構成することは，当業者が適宜採用し得た設計的事項である。
（ウ）　よって，「前記ＴＶに前記アップグレード装置から情報が受信される」ことに関し，引用発明における当該「情報」を，拡張機能に対応し，当該拡張機能が実行できるようにするための情報とし，その情報に基づいてＴＶのファームウェアがアップグレードされるように構成することは，引用発明に周知技術を適用することにより，当業者が容易に想到し得たことである。
イ　上記（相違点２）について
　信号の切替えのために，スイッチのオン・オフという手法を用いることは，例示するまでもなく，本願出願前における周知・慣用技術である。
　したがって，「前記映像の表示を切り替え」ることについて，引用発明に当該周知・慣用技術を適用し，映像信号スイッチを用いることとして，そのオン・オフにより映像の表示を切り替えるように構成することは，当業者が容易に想到し得たことである。
ウ　さらに，補正後の発明の作用・効果も，引用発明及び周知技術から当業者が予測できる範囲のものである。
エ　したがって，補正後の発明は，引用発明及び周知技術に基づいて当業者が容易に発明をすることができたものであるから，特許法第２９条第２項の規定により，特許出願の際独立して特許を受けることができないものである。
４　結語
　以上のとおり，本件補正は，補正後の発明が特許出願の際独立して特許を受けることができないものであるから，特許法第１７条の２第６項において準用する同法第１２６条第７項の規定に適合していない。
　したがって，本件補正は，同法１５９条第１項において読み替えて準用する同法第５３条第１項の規定により却下すべきものである。
第３　本願発明について
１　本願発明
　本件補正は，上記のとおり却下されたので，本願発明は，上記「第２　補正却下の決定」の「１　本願発明と補正後の発明」の項で「本願発明」として認定したとおりである。
２　引用発明及び周知技術
　引用発明及び周知技術は，上記「第２　補正却下の決定」の「３　独立特許要件について」における「（２）　引用発明及び周知技術」の項で認定したとおりである。
３　対比・判断
　そこで，本願発明と引用発明とを対比するに，本願発明は，上記「第２　補正却下の決定」の「１　本願発明と補正後の発明」において認定した「補正後の発明」から本件補正の補正箇所に係る限定事項を省いたものである。
　そうすると，本願発明の構成に本件補正の補正箇所に係る限定事項を付加した「補正後の発明」が，上記「第２　補正却下の決定」の「３　独立特許要件について」において検討したとおり，引用発明及び周知技術に基づいて当業者が容易に発明をすることができたものであるから，補正後の発明から本件補正の補正箇所に係る限定事項を省いた本願発明も，同様の理由により，当業者が容易に発明をすることができたものである。
第４　むすび
　以上のとおり，本願発明は，引用発明及び周知技術に基づいて当業者が容易に発明をすることができたものであるから，特許法第２９条第２項の規定により特許を受けることができない。
　したがって，その他の請求項に係る発明について検討するまでもなく，本願は拒絶されるべきものである。
　よって，結論のとおり審決する。